(57)【要約】【課題】  駆動メンバの小さなストロークで大きなシール材の移動量を稼ぐことができない点を解決することで、駆動メンバの小さなストロークで大きなシール材の移動量を稼ぐことを可能にする。【解決手段】  ドア本体１１に基部ピン３３を介して上下スイング可能にスイングレバー２２を取付け、このスイングレバー２２の先端部に前端ピン３５を介して取付けるとともにドア召し合わせ部１４に縦長の可動部材２４を配置し、ドア召し合わせ部１４に生じる隙間を塞ぐために可動部材２４にシール材２５を取付け、一端をスイングレバー２２の中間部分に中間ピン３４を介して取付けるとともに、他端をドア枠１２で押すことで可動部材２４をシール方向へ移動させる駆動メンバ２３を設け、この駆動メンバ２３を反シール方向へリターンばね２６を付勢した。【選択図】      図３
2005240322.tif 000002
【特許請求の範囲】
【請求項１】
２枚のドア本体の合わせ部分をシールするドア召し合わせ部のシール装置において、
このシール装置は、前記ドア本体に基部ピンを介して上下スイング可能に取付けたスイングレバーと、このスイングレバーの先端部に前端ピンを介して取付けるとともにドア召し合わせ部に配置した縦長の可動部材と、ドア召し合わせ部に生じる隙間を塞ぐために前記可動部材に取付けたシール材と、一端が前記スイングレバーの中間部分に中間ピンを介して取付け、他端がドア枠で押されることで前記可動部材をシール方向へ移動させる駆動メンバと、この駆動メンバを反シール方向へ付勢するリターンばねと、からなることを特徴とするドア召し合わせ部のシール装置。
【請求項２】
前記スイングレバーにおいて、前記中間ピンは水平線を挟むように上下に移動し、前記前端ピンは水平線の上方のみ又は下方のみで上下に移動するように、前記基部ピン、中間ピン及び前端ピンの位置を定めたことを特徴とする請求項１記載のドア召し合わせ部のシール装置。
【発明の詳細な説明】
【技術分野】
【０００１】
本発明は、２枚のドアの合わせ部分を気密性、遮音性若しくは電磁シールド性を確保してシールすることのできるドア召し合わせ部のシール装置に関するものである。
【背景技術】
【０００２】
ドア召し合わせ部のシール装置として、気密性や遮音性を確保するためにドアに中空ゴム若しくはスポンジを取付けたり、電磁シールド性を確保するために導電性ゴムなどを取付けたものが実用に供されている。
実用のドア召し合わせ部のシール装置は、中空ゴム、スポンジ若しくは導電性ゴムをベース材に取付け、このベース材をばねなどで押圧すれば実用上十分であった。
【０００３】
このようなドア召し合わせ部のシール装置に採用できる技術として、ドア本体にシール部材を出没可能に取付け、このシール部材をドア枠に板ばねで押え付けるものが知られている（例えば、特許文献１参照。）。
【特許文献１】特開平５−３３５６６号公報（第４頁、図１）
【０００４】
図１４は従来の基本原理を説明する図であり、シール装置２００は、ドア本体２０１に横スライド可能に取付けたロッド２０２と、このロッド２０２に一端に取付けるとともに他端をドア本体２０１に支持させた板ばね２０３と、この板ばね２０３の中央に取付けるとともにドア本体２０１に昇降可能に取付けたシール部材２０４と、から構成する機構であり、ドア本体２０１を閉じ、ドア枠２０５でロッド２０２の先端を押すことで、板ばね２０３に弛みを持たせ、ドア枠２０５の下部２０６にシール部材２０４を押付けるようにしたものである。
【０００５】
しかし、シール装置２００では、シール部材２０４をドア枠２０５の下部２０６に押付けるための力は板ばね２０３に依存するので、この板ばね２０３がへたると、押付ける力が不十分になるという問題があった。
また、シール装置２００では、ドア枠２０５でロッド２０２の先端を押すことで、板ばね２０３に弛みを持たせ、ドア枠２０５の下部２０６にシール部材２０４を押付けるようにしたものであり、ロッド２０２のストロークでシール部材２０４の移動量が決まり、ロッド２０２のストロークを拡大してシール部材の動きに変換することができないという欠点があった。
【０００６】
すなわち、シール部材（シール材）の十分な押付け力を得ることができるとともに、ロッドなどの駆動メンバの小さなストロークでシール材を大きく移動させることができるドア召し合わせ部のシール装置が望まれる。
【発明の開示】
【発明が解決しようとする課題】
【０００７】
本発明は、シール材の十分な押付け力が不十分になる点を解決し、十分な押付け力を得ることができるドア召し合わせ部のシール装置を提供するとともに、駆動メンバの小さなストロークで大きなシール材の移動量を稼ぐことができるドア召し合わせ部のシール装置を提供することを課題とする。
【課題を解決するための手段】
【０００８】
請求項１に係る発明は、２枚のドア本体の合わせ部分をシールするドア召し合わせ部のシール装置において、このシール装置を、ドア本体に基部ピンを介して上下スイング可能に取付けたスイングレバーと、このスイングレバーの先端部に前端ピンを介して取付けるとともにドア召し合わせ部に配置した縦長の可動部材と、ドア召し合わせ部に生じる隙間を塞ぐために可動部材に取付けたシール材と、一端がスイングレバーの中間部分に中間ピンを介して取付け、他端がドア枠で押されることで可動部材をシール方向へ移動させる駆動メンバと、この駆動メンバを反シール方向へ付勢するリターンばねと、から構成したことを特徴とする。
ここで、ドア召し合わせ部とは、２枚のドア（ドア本体）同士が互いに合わさる部分を言う。
【０００９】
例えば、シール材の十分な押付け力を得ることができるとともに、駆動メンバの小さなストロークでシール材を大きく移動させるができるドア召し合わせ部のシール装置を実現することで、ドア召し合わせ部の遮光性、気密性若しくは電磁シールド性の向上を図ることができるので好ましいことである。
【００１０】
そこで、ドア本体に基部ピンを介して上下スイング可能にスイングレバーを取付け、このスイングレバーの先端部に前端ピンを介して取付けるとともにドア召し合わせ部に縦長の可動部材を配置し、ドア召し合わせ部に生じる隙間を塞ぐために可動部材にシール材を取付け、一端をスイングレバーの中間部分に中間ピンを介して取付けるとともに、他端をドア枠で押すことで可動部材をシール方向へ移動させる駆動メンバを設け、この駆動メンバを反シール方向へリターンばねを付勢した。
【００１１】
すなわち、ベース材にスイングレバーを取付け、このスイングレバーの先端部に可動部材を取付け、スイングレバーの中間部分にドア枠で押すことで可動部材をシール方向へ移動させる駆動メンバを取付けることで、シール材に十分な押付け力を発生させるとともに、駆動メンバの小さなストロークを拡大して可動部材を作動させる。
【００１２】
請求項２に係る発明は、スイングレバーにおいて、中間ピンは水平線を挟むように上下に移動し、前端ピンは水平線の上方のみ又は下方のみで上下に移動するように、基部ピン、中間ピン及び前端ピンの位置を定めたことを特徴とする。
【００１３】
中間ピンは水平線を挟むように上下に移動させることで、駆動メンバの横方向の動きを最小限に抑える。
前端ピンは水平線の上方のみ又は下方のみで上下に移動するようにすることで、可動部材の横方向のせり出し量を稼ぐ。
【発明の効果】
【００１４】
請求項１に係る発明では、シール装置に、ドア本体に基部ピンを介して上下スイング可能に取付けたスイングレバーと、このスイングレバーの先端部に前端ピンを介して取付けるとともにドア召し合わせ部に配置した縦長の可動部材と、一端がスイングレバーの中間部分に中間ピンを介して取付け、他端がドア枠で押されることで可動部材をシール方向へ移動させる駆動メンバと、を備えることで、駆動メンバの小さなストロークを拡大して可動部材を作動させることができる。この結果、シール材に十分な押付け力を発生させることができ、ドア召し合わせ部の遮光性、気密性若しくは電磁シールド性の向上を図ることができるという利点がある。
【００１５】
請求項２に係る発明では、中間ピンは水平線を挟むように上下に移動させたので、駆動メンバの横方向の動きを最小限に抑えることができる。この結果、ドア枠と駆動メンバの不必要な摩擦を防ぐことができ、駆動メンバの動きを円滑にスイングレバーに伝えることができるという利点がある。
また、前端ピンは水平線の上方のみ又は下方のみで上下に移動するようにしたので、可動部材の横方向のせり出し量を稼ぐことができるという利点がある。
【発明を実施するための最良の形態】
【００１６】
本発明を実施するための最良の形態を添付図に基づいて以下に説明する。なお、図面は符号の向きに見るものとする。
図１は本発明に係るドア召し合わせ部のシール装置を搭載した両開きドアの斜視図であり、両開きドア（観音開きドア）１０は、ドア枠１２にヒンジ１３・・・（・・・は複数個を示す。以下同じ）を介して開閉自在に取付けた左右のドア本体１１Ｌ，１１Ｒと、これらのドア本体１１Ｌ，１１Ｒのドア召し合わせ部１４にそれぞれ設けたドア召し合わせ部のシール装置２０，２０と、からなり、コンサートホール、劇場若しくは映画館などの観客の入場又は退場用の二重ドアに採用するのに好適なドアである。
左右のドア本体１１Ｌ，１１Ｒは、開閉のためのドアハンドル１５Ｌ，１５Ｒを備える。
【００１７】
図２は本発明に係るドア召し合わせ部のシール装置を搭載した両開きドアの正面図であり、左右のドア本体１１Ｌ，１１Ｒは、それぞれの召し合わせ部のシール装置２０，２０でシール可能であることを示す。召し合わせ部のシール装置２０，２０は、後述するように、ドア本体１１Ｌ，１１Ｒ同士を遮光を目的としたシールをする場合にはに遮光用のパッキンを用い、遮音を目的としたシールをする場合には遮音用のパッキンを用い、又電磁シールドを目的としたシールをする場合には電磁シールド用のパッキンを用いることで、ドア召し合わせ部１４を用途に応じたシールを施すことができる。
【００１８】
以下、右のドア本体１１Ｒをドア本体１１として説明し、左のドア本体１１Ｌは、右のドア本体１１Ｒに左右対称のドアであり、詳細な説明を省略する。
【００１９】
図３は本発明に係るドア召し合わせ部のシール装置を搭載した両開きドアの正面拡大図であり、ドア召し合わせ部のシール装置２０は、ドア本体１１に取付けたベース材２１と、このベース材２１にスイング可能に取付けたスイングレバー２２，２２と、このスイングレバー２２，２２の中間に回転可能に取付けることでドア本体１１の開閉動作で昇降させる駆動メンバ（連動部材）２３と、スイングレバー２２，２２の先端部に取付けることで駆動メンバ２３を昇降させるときにドア本体１１から横スライド及び昇降動作させる可動部材２４と、この可動部材２４に取付けることで隙間を遮光、遮音若しくはシールドするシール材（弾性部材）２５と、これらのシール材２５、可動部材２４、駆動メンバ２３及びスイングレバー２２，２２をドア本体１１を開いたときの状態に復帰させるためにベース材２１及び駆動メンバ２３の間に介在させるリターンばね（復帰ばね）２６と、からなる。
【００２０】
ベース材２１は、ドア本体１１側に取付ける凸部３１・・・と、リターンばね２６を受けるステー部３２と、スイングレバーの基部ピン３３を支持する基部ピン支持部３７と、を備える。
【００２１】
スイングレバー２２は、略Ｕ字状に形成したレバーであり、ベース材２１に基部ピン３３を介して回転自在に取付け、中間部分を中間ピン３４を介して駆動メンバ２３に回転自在に取付け、先端部を前端ピン３５を介して可動部材２４に回転自在に取付けたものである。
【００２２】
駆動メンバ２３は、スイングレバー２２の中間ピン３４を支持する中間ピン支持部３８と、駆動メンバ２３自身を昇降させる駆動カム４１と、を備える。駆動カム４１は、リターンばね２６を一端に当接させる当接部４２を形成するとともに他端にドア枠１２に当接させることで駆動メンバ２３を昇降させるテーパ部４３と、を備える。
【００２３】
可動部材２４は、スイングレバー２２の前端ピン３５を支持する前端ピン支持部３９と、シール材２５を取付ける取付け部材４４と、を備える。
シール材２５は、遮音を目的とした弾性ゴムであり、この弾性ゴムを支持する支持板４５を備える。
【００２４】
リターンばね２６は、ステー部３２と駆動カム４１との間に介在させた圧縮ばねであり、内部にボルト４６を貫通させ、このボルト４６をナット４７で止めることでベース材２１及び駆動メンバ２３間に伸縮自在に設置した部材である。
【００２５】
図４は本発明に係るドア召し合わせ部のシール装置の平面図であり、スイングレバー２２は、基部ピン３３を介してベース材２１に回転自在に取付け、中間ピン３４を介して駆動メンバ２３に回転自在に取付け、前端ピン３５を介して可動部材２４に回転自在に取付けたものであり、後述するように、駆動メンバ２３の小さなストロークを拡大して可動部材２４を作動させ、シール材２５に十分な押付け力を発生させ、ドア召し合わせ部１４の遮光性、気密性若しくは電磁シールド性の向上を図るものである。
【００２６】
図５は本発明に係るドア召し合わせ部のシール装置の側面図であり、ドア枠１２に駆動カム４１が当たり、この駆動カム４１のテーパ部４３がドア枠１２に白抜き矢印ａのように入り込みむことで、駆動メンバ２３は白抜き矢印ｂの如く下降させることを示す。
すなわち、ドア召し合わせ部のシール装置２０は、駆動メンバ２３の下降で基部ピン３３（図４参照）を中心としてスイングレバー２２を回転させ、このスイングレバー２２で可動部材２４を横移動及び上下移動をさせる。
【００２７】
図６（ａ）〜（ｆ）は本発明に係るドア召し合わせ部のシール装置のシール材の別実施例の斜視図である。
（ａ）において、シール材５１は、遮音若しくは遮光を目的とした発泡ゴムのパッキンである。
（ｂ）において、シール材５２は、遮光を目的としたスポンジである。
【００２８】
（ｃ）において、シール材５３は、電磁シールドを目的としたものであって、ゴム管５４に金属網５５を巻付けたものであり、この金属網５５をドア本体１２（図４参照）側にアースして（電気的に導通させて）使用する。
（ｄ）において、シール材５６は、電磁シールドを目的としたものであって、導電性ゴム５７に金属網５８を巻付けたものであり、この金属網５８をドア本体１１（図４参照）側にアースして使用する。また、導電性ゴム５７は、金属網５８を巻付けずに使用することもできる。
【００２９】
（ｅ）において、シール材６１は、電磁シールドを目的としたものであって、りん青銅などのばね材で形成したものである。すなわち、本体部６２に多数のフィンガ部６３・・・形成したものであり、フィンガ部６３・・・をドア本体１１側にアースして使用する。
【００３０】
（ｆ）において、シール材６４は、発泡ゴム若しくはウレタンスポンジ等のの弾性部材６５に金属入り化学繊維（金属化繊シート）６６を巻き、この金属入り化学繊維６６に両面テープ６７を貼付けたものであり、シール材６４の取付け性の向上を図ったものである。６８は両面テープ６７のセパレータを示す。
【００３１】
図７は本発明に係るドア召し合わせ部のシール装置の正面図であり、開状態のドア召し合わせ部のシール装置２０を示す。
ドア召し合わせ部のシール装置２０は、２枚のドア本体１１，１１の合わせ部分をシールするドア召し合わせ部のシール装置において、このシール装置２０を、ドア本体１１に基部ピン３３を介して上下スイング可能に取付けたスイングレバー２２と、このスイングレバー２２の先端部に前端ピン３５を介して取付けるとともにドア召し合わせ部１４に配置した縦長の可動部材２４と、ドア召し合わせ部１４に生じる隙間を塞ぐために可動部材２４に取付けたシール材２５と、一端がスイングレバー２２の中間部分に中間ピン３４を介して取付け、他端がドア枠１２で押されることで可動部材２４をシール方向へ移動させる駆動メンバ２３と、この駆動メンバ２３を反シール方向へ付勢するリターンばね２６と、から構成したものと言える。
【００３２】
例えば、シール材の十分な押付け力を得ることができるとともに、駆動メンバの小さなストロークでシール材を大きく移動させるができるドア召し合わせ部のシール装置を実現することで、ドア召し合わせ部の遮光性、気密性若しくは電磁シールド性の向上を図ることができるので好ましいことである。
【００３３】
そこで、ドア本体１１に基部ピン３３を介して上下スイング可能にスイングレバー２２を取付け、このスイングレバー２２の先端部に前端ピン３５を介して取付けるとともにドア召し合わせ部１４に縦長の可動部材２４を配置し、ドア召し合わせ部１４に生じる隙間を塞ぐために可動部材２４にシール材２５を取付け、一端をスイングレバー２２の中間部分に中間ピン３４を介して取付けるとともに、他端をドア枠１２で押すことで可動部材２４をシール方向へ移動させる駆動メンバ２３を設け、この駆動メンバ２３を反シール方向へリターンばね２６を付勢した。
【００３４】
すなわち、ドア本体１１にスイングレバー２２を取付け、このスイングレバー２２の先端部に可動部材２４を取付け、スイングレバー２２の中間部分にドア枠１２で押すことで可動部材２４をシール方向へ移動させる駆動メンバ２３を取付けることで、駆動メンバ２３の小さなストロークを拡大して可動部材２４を作動させることができる。この結果、シール材２５に十分な押付け力を発生させることができ、ドア召し合わせ部１４の遮光性、気密性若しくは電磁シールド性の向上を図ることができる。
【００３５】
以上に述べたドア召し合わせ部のシール装置２０の作用を次に説明する。
図８（ａ），（ｂ）は本発明に係るドア召し合わせ部のシール装置を採用したドア本体の開状態を示す説明図であり、（ａ）はドア召し合わせ部のシール装置２０の平面を示し、（ｂ）はドア召し合わせ部のシール装置２０の正面を示す。
（ａ），（ｂ）において、ドア本体１１，１１が開状態ではリターンばね２６，２６の復帰作用で駆動メンバ２３は矢印ａ１，ａ１の如く上方へ移動し、スイングレバー２２，２２は基部ピン３３を中心に矢印ａ２，ａ２の如く跳ね上げ状態にあり、可動部材２４（シール材２５）はドア本体１１，１１側に引込まれた状態にある。
【００３６】
図９（ａ），（ｂ）は本発明に係るドア召し合わせ部のシール装置を採用したドア本体の閉状態を示す説明図であり、（ａ）はドア召し合わせ部のシール装置２０の平面を示し、（ｂ）はドア召し合わせ部のシール装置２０の正面を示す。
（ａ），（ｂ）において、ドア本体１１，１１を矢印ｂ１，ｂ１の如くドア枠１２に押込み、ドア枠１２に駆動カム４１，４１を当てることで矢印ｂ２，ｂ２の如く駆動メンバ２３，２３を下降させ、駆動メンバ２３，２３を下げることでスイングレバー２２，２２を矢印ｂ３，ｂ３の如く回転させ、可動部材２４及びシール材２５を横移動及び下降させることでドア召し合わせ部１４をシールする。
【００３７】
図１０（ａ）〜（ｃ）は本発明に係るドア召し合わせ部のシール装置の第１作用説明図であり、スイングレバー２２の基部ピン３３、中間ピン３４及び前端ピン３５の設定位置関係を示す。
（ａ）において、ドア召し合わせ部のシール装置２０（図３参照）の開状態のスイングレバー２２を示し、基部ピン３３を通る水平線Ｈに対する前端ピン３５は水平線Ｈの上部に位置し、水平線Ｈに対する中間ピン３４の位置も水平線Ｈの上部に位置する。
【００３８】
（ｂ）において、ドア召し合わせ部のシール装置２０の閉状態のスイングレバー２２を示し、水平線Ｈに対する前端ピン３５は水平線Ｈの上部に位置し、水平線Ｈに対する中間ピン３４の位置は水平線Ｈの下部に位置する。
【００３９】
（ｃ）において、ドア召し合わせ部のシール装置２０（図３参照）の開状態及び閉状態の基部ピン３３、前端ピン３５及び中間ピン３４の位置関係を示す。
ドア召し合わせ部のシール装置２０は、スイングレバー２２において、中間ピン３４は水平線Ｈを挟むように上下に移動し、前端ピン３５は水平線Ｈの上方のみ又は下方のみで上下に移動するように、基部ピン３３、中間ピン３４及び前端ピン３５の位置を定めたものと言える。
【００４０】
すなわち、中間ピン３４は水平線Ｈを挟むように上下に移動させることで、駆動メンバ２３（図３参照）の横方向の動きを最小限に抑えることができる。この結果、ドア枠１２（図３参照）と駆動メンバ２３（駆動カム４１）の不必要な摩擦を防ぐことができ、駆動メンバ２３の動きを円滑にスイングレバー２２に伝えることができる。
また、前端ピン３５は水平線Ｈの上方のみで上下に移動するようにすることで、可動部材２４の横方向のせり出し量を稼ぐことができる。
【００４１】
図１１（ａ）〜（ｄ）は本発明に係るドア召し合わせ部のシール装置の第２作用説明図であり、（ａ），（ｂ）は比較例のドア召し合わせ部のシール装置２２０を示し、（ｃ），（ｄ）は実施例のドア召し合わせ部のシール装置２０を示す。
（ａ）において、ベース材２２１に基部ピン２３３を介してスイングレバー２２２を回転可能に取付け、このスイングレバー２２２の先端部に前端ピン２３５を介して駆動メンバ２２３を直接的に回転可能に支持し、この駆動メンバ２２３にシール材２２５を取付け、駆動メンバ２２３の駆動カム２４１とベース材２２１のステー部２３２との間にリターンばね２２６を介在させたものである。
【００４２】
（ｂ）において、駆動メンバ２２３の上下移動距離Ａ１及び横移動距離（せり出し量）Ｂと関係を示す。ただし、スイングレバー２２２の基部ピン２３３及び前端ピン２３５の距離はドア召し合わせ部のシール装置２０のスイングレバー２２の基部ピン３３及び前端ピン３５の距離と同一とする。
すなわち、横移動距離（せり出し量）Ｂを得るために上下移動距離Ａ１を必要とすることを示す。
【００４３】
（ｃ）において、ドア召し合わせ部のシール装置２０は、ベース材２１にスイングレバー２２を取付け、このスイングレバー２２の先端部に可動部材２４を取付け、スイングレバー２２の中間部分にドア枠１２で押すことで可動部材２４をシール方向へ移動させる駆動メンバ２３を取付けた。
【００４４】
（ｄ）において、（ｂ）に示す可動部材２４の横移動距離（せり出し量）Ｂを得るのに、駆動メンバ２３の上下移動量Ａ２でよいことを示し、（ｂ），（ｄ）からＡ２＜Ａ１であることを示す。
ドア召し合わせ部のシール装置２０は、シール材２５に十分な押付け力を発生させるとともに、駆動メンバ２３の小さなストロークを拡大して可動部材２４を作動させることができるものと言える。なお、駆動メンバ２３における中間ピン３４の横移動は無視できる範囲の微小なものである。
【００４５】
図１２は本発明に係るドア召し合わせ部のシール装置を採用した別実施例の両開きドアの平面図であり、両開きドア（観音開きドア）１１０は、ドア本体１１１Ｌ，１１１Ｒにドア召し合わせ部のシール装置２０（図４参照）に略同一のドア召し合わせ部のシール装置１２０，１２０を採用し、ドア本体１１１Ｌ，１１１Ｒに遮光用のゴムパッキン１１６，１１７を付設するとともにドア本体１１１Ｌ，１１１Ｒの可動部材１２４，１２４に電磁波若しくは音波の廻り込みを防ぐ内部パッキン１１８，１１８を付設したものである。
【００４６】
図中、１１４はドア召し合わせ部、１２１はベース材、１２２はスイングレバー、１２３は駆動メンバ、１２５はシール材、１２６はリターンばね、１３３は基部ピン、１３４は中間ピン、１３５は前端ピン、１４１は駆動カムを示す。
なお、内部パッキン１１８としては、導電性ゴム５７に金属網５８を巻付けたシール材５６形式パッキンや、図６（ｅ）に示すフィンガタイプのシール材６１などが好適である。
【００４７】
図１３は本発明に係るドア召し合わせ部のシール装置を採用した別実施例のドア本体に採用した場合の斜視図であり、両開きドア１１０は、ドア召し合わせ部のシール装置１２０，１２０を採用し、ドア本体１１１Ｌ，１１１Ｒに遮光用のゴムパッキン１１６，１１７を付設するとともにドア本体１１１Ｌ，１１１Ｒの可動部材１２４，１２４に電磁波若しくは音波の廻り込みを防ぐ内部パッキン１１８，１１８を付設したもので、さらなるドア召し合わせ部１１４の遮光性、気密性若しくは電磁シールド性の向上を図ることができる。
【００４８】
尚、本発明に係るドア召し合わせ部のシール装置２０は、図４に示すように、両開きドア１０に採用したが、これに限るものではなく、シール装置２０を片開きドアとドア枠のシールに採用したものでもよい。
本発明に係るドア召し合わせ部のシール装置２０は、図５に示すように、スイングレバー２２は２個用いたが、これに限るものではなく、２個以上の任意の個数を用いることを妨げるものではない。
【００４９】
本発明に係るドア召し合わせ部のシール装置２０は、図１０に示すように、前端ピン３５は水平線の上方のみ上下に移動するように説明したが、こらに限るものではなく、例えば、下方から駆動メンバを持ち上げるようにドア召し合わせ部のシール装置を構成する場合には、下方のみに移動するようにしたものであってもよい。
【産業上の利用可能性】
【００５０】
本発明に係るドア召し合わせ部のシール装置は、コンサートホール、劇場若しくは映画館などの観客の入場又は退場用の二重ドアに採用するのに好適である。
【図面の簡単な説明】
【００５１】
【図１】本発明に係るドア召し合わせ部のシール装置を搭載した両開きドアの斜視図である。
【図２】本発明に係るドア召し合わせ部のシール装置を搭載した両開きドアの正面図である。
【図３】本発明に係るドア召し合わせ部のシール装置を搭載した両開きドアの正面拡大図である。
【図４】本発明に係るドア召し合わせ部のシール装置の平面図である。
【図５】本発明に係るドア召し合わせ部のシール装置の側面図である。
【図６】本発明に係るドア召し合わせ部のシール装置のシール材の別実施例の斜視図である。
【図７】本発明に係るドア召し合わせ部のシール装置の正面図である。
【図８】本発明に係るドア召し合わせ部のシール装置を採用したドア本体の開状態を示す説明図である。
【図９】本発明に係るドア召し合わせ部のシール装置を採用したドア本体の閉状態を示す説明図である。
【図１０】本発明に係るドア召し合わせ部のシール装置の第１作用説明図である。
【図１１】本発明に係るドア召し合わせ部のシール装置の第２作用説明図である。
【図１２】本発明に係るドア召し合わせ部のシール装置を採用した別実施例の両開きドアの平面図である。
【図１３】本発明に係るドア召し合わせ部のシール装置を採用した別実施例のドア本体に採用した場合の斜視図である。
【図１４】従来の基本原理を説明する図である。
【符号の説明】
【００５２】
１０…両開きドア、１１…ドア本体、１２…ドア枠、１４…ドア召し合わせ部、２０…ドア召し合わせ部のシール装置、２２…スイングレバー、２３…駆動メンバ、２４…可動部材、２５…シール材、２６…リターンばね、３３…基部ピン、３４…中間ピン、３５…前端ピン、Ｈ…水平線。
【図１】
2005240322.tif 000003
【図２】
2005240322.tif 000004
【図３】
2005240322.tif 000005
【図４】
2005240322.tif 000006
【図５】
2005240322.tif 000007
【図６】
2005240322.tif 000008
【図７】
2005240322.tif 000009
【図８】
2005240322.tif 000010
【図９】
2005240322.tif 000011
【図１０】
2005240322.tif 000012
【図１１】
2005240322.tif 000013
【図１２】
2005240322.tif 000014
【図１３】
2005240322.tif 000015
【図１４】
2005240322.tif 000016